(57)【特許請求の範囲】
【請求項１】
原稿画像を読み取り画像データを取得する画像読取部と、
記録紙を給紙して搬送し前記画像読取部で取得された画像データに基づく画像を前記記録紙に形成して出力する画像形成出力処理を行う画像形成部と、
課金装置と通信する通信部と、
前記通信部による前記課金装置との通信が正常に行われている場合は、前記画像形成部に前記画像形成出力処理を正常に行わせ、かつその出力された記録紙に対する課金信号を前記通信部から前記課金装置へ送信し、前記画像形成部による前記給紙の開始後に前記通信部による前記課金装置との通信に異常が発生した場合は、その給紙された記録紙に対して前記画像形成部に非正常な前記画像形成出力処理を行わせて出力させる制御部と、
を備え、
前記画像形成部は、前記給紙された前記記録紙の位置を検出する検出部を備え、
前記制御部は、前記検出部で検出された前記記録紙の位置に応じて前記非正常な画像形成出力処理の内容を変更する
ことを特徴とする画像形成装置。
【請求項２】
前記制御部は、前記異常が発生した場合に前記画像データの内容を変更し、前記画像形成部に前記非正常な画像形成出力処理として、前記内容を変更した画像データに基づく画像を前記記録紙に形成する処理を行わせる
ことを特徴とする請求項１に記載の画像形成装置。
【請求項３】
前記画像形成部は、
感光体と、
前記感光体を帯電する帯電部と、
前記帯電部により帯電された前記感光体に画像データに基づいて発光制御した光を照射して潜像を形成する潜像形成部と、
前記潜像形成部により前記感光体に形成された潜像を現像して現像像を形成する現像部と、
前記現像部により前記感光体に形成された現像像を前記記録紙に転写する転写部と、
を備え、
前記正常な画像形成出力処理は、
前記帯電部が所定の処理条件で前記帯電を行う帯電処理と、
前記潜像形成部が所定の処理条件で前記潜像を形成する潜像形成処理と、
前記現像部が所定の処理条件で前記現像像を形成する現像処理と、
前記転写部が所定の処理条件で前記転写を行う転写処理と、
を含み、
前記制御部は、前記異常が発生した場合に、前記帯電処理と、前記潜像形成処理と、前記現像処理と、前記転写処理とのうちの少なくとも１つの処理の前記所定の処理条件を変更し、前記画像形成部に前記非正常な画像形成出力処理として、前記所定の処理条件を変更した前記少なくとも１つの処理はその変更した処理条件で処理を行わせる
ことを特徴とする請求項１または２に記載の画像形成装置。
【請求項４】
前記画像形成部は、
前記記録紙に圧接し回転してその記録紙を搬送しつつ画像を定着させるローラと、
前記ローラに前記記録紙を案内すると共にその案内位置を変更可能な案内部と、
を備え、
前記正常な画像形成出力処理は、前記案内部が前記ローラによる搬送でシワの発生しない位置に案内した記録紙に対して前記ローラが前記定着を行う定着処理を含み、
前記制御部は、前記異常が発生した場合に前記案内部による前記案内位置を変更し、前記画像形成部に前記非正常な画像形成出力処理として、前記案内部が前記ローラによる搬送でシワの発生する位置に案内した記録紙に対して前記ローラが前記定着を行う定着処理を行わせる
ことを特徴とする請求項１乃至３のいずれか１つに記載の画像形成装置。
【請求項５】
前記画像形成部は、
前記記録紙に対して異常な加工を加える加工処理と前記異常な加工を加えない非加工処理とを切り替えて行う加工部を備え、
前記正常な画像形成出力処理は、前記加工部が行う前記非加工処理を含み、
前記制御部は、前記異常が発生した場合に前記加工部が行う処理を前記加工処理に切り替え、前記画像形成部に前記非正常な画像形成出力処理として、前記加工処理を行わせる
ことを特徴とする請求項１乃至４のいずれか１つに記載の画像形成装置。
【請求項６】
前記画像形成部は、
前記出力された記録紙が当該画像形成装置の利用者に取り出し可能な第１排出部と、
前記出力された記録紙が当該画像形成装置の利用者に取り出し不可能な第２排出部と、
前記記録紙の出力先を前記第１排出部または前記第２排出部に切り替え可能な切替部と、
を備え、
前記正常な画像形成出力処理は、前記画像形成部が前記切替部により前記記録紙を前記第１排出部に出力する処理を含み、
前記制御部は、前記異常が発生した場合に前記切替部による前記出力先を切り替え、前記画像形成部に前記非正常な画像形成出力処理として、前記切替部により前記記録紙を前記第１排出部に出力する処理を行わせる
ことを特徴とする請求項１乃至４のいずれか１つに記載の画像形成装置。
【請求項７】
原稿画像を読み取り画像データを取得する画像読取部と、
記録紙を給紙して搬送し前記画像読取部で取得された画像データに基づく画像を前記記録紙に形成して出力する画像形成出力処理を行う画像形成部と、
課金装置と通信する通信部と、
前記通信部による前記課金装置との通信が正常に行われている場合は、前記画像形成部に前記画像形成出力処理を正常に行わせ、かつその出力された記録紙に対する課金信号を前記通信部から前記課金装置へ送信し、前記画像形成部による前記給紙の開始後に前記通信部による前記課金装置との通信に異常が発生した場合は、その給紙された記録紙に対して前記画像形成部に非正常な前記画像形成出力処理を行わせて出力させる制御部と、
を備え、
前記画像形成部は、
前記記録紙に圧接し回転してその記録紙を搬送しつつ画像を定着させるローラと、
前記ローラに前記記録紙を案内すると共にその案内位置を変更可能な案内部と、
を備え、
前記正常な画像形成出力処理は、前記案内部が前記ローラによる搬送でシワの発生しない位置に案内した記録紙に対して前記ローラが前記定着を行う定着処理を含み、
前記制御部は、前記異常が発生した場合に前記案内部による前記案内位置を変更し、前記画像形成部に前記非正常な画像形成出力処理として、前記案内部が前記ローラによる搬送でシワの発生する位置に案内した記録紙に対して前記ローラが前記定着を行う定着処理を行わせる
ことを特徴とする画像形成装置。
【請求項８】
原稿画像を読み取り画像データを取得する画像読取部と、
記録紙を給紙して搬送し前記画像読取部で取得された画像データに基づく画像を前記記録紙に形成して出力する画像形成出力処理を行う画像形成部と、
課金装置と通信する通信部と、
前記通信部による前記課金装置との通信が正常に行われている場合は、前記画像形成部に前記画像形成出力処理を正常に行わせ、かつその出力された記録紙に対する課金信号を前記通信部から前記課金装置へ送信し、前記画像形成部による前記給紙の開始後に前記通信部による前記課金装置との通信に異常が発生した場合は、その給紙された記録紙に対して前記画像形成部に非正常な前記画像形成出力処理を行わせて出力させる制御部と、
を備え、
前記画像形成部は、
前記記録紙に対して異常な加工を加える加工処理と前記異常な加工を加えない非加工処理とを切り替えて行う加工部を備え、
前記正常な画像形成出力処理は、前記加工部が行う前記非加工処理を含み、
前記制御部は、前記異常が発生した場合に前記加工部が行う処理を前記加工処理に切り替え、前記画像形成部に前記非正常な画像形成出力処理として、前記加工処理を行わせる
ことを特徴とする画像形成装置。
【請求項９】
原稿画像を読み取り画像データを取得する画像読取部と、
記録紙を給紙して搬送し前記画像読取部で取得された画像データに基づく画像を前記記録紙に形成して出力する画像形成出力処理を行う画像形成部と、
課金装置と通信する通信部と、
前記通信部による前記課金装置との通信が正常に行われている場合は、前記画像形成部に前記画像形成出力処理を正常に行わせ、かつその出力された記録紙に対する課金信号を前記通信部から前記課金装置へ送信し、前記画像形成部による前記給紙の開始後に前記通信部による前記課金装置との通信に異常が発生した場合は、その給紙された記録紙に対して前記画像形成部に非正常な前記画像形成出力処理を行わせて出力させる制御部と、
を備え、
前記画像形成部は、
前記出力された記録紙が当該画像形成装置の利用者に取り出し可能な第１排出部と、
前記出力された記録紙が当該画像形成装置の利用者に取り出し不可能な第２排出部と、
前記記録紙の出力先を前記第１排出部または前記第２排出部に切り替え可能な切替部と、
を備え、
前記正常な画像形成出力処理は、前記画像形成部が前記切替部により前記記録紙を前記第１排出部に出力する処理を含み、
前記制御部は、前記異常が発生した場合に前記切替部による前記出力先を切り替え、前記画像形成部に前記非正常な画像形成出力処理として、前記切替部により前記記録紙を前記第２排出部に出力する処理を行わせる
ことを特徴とする画像形成装置。
【発明の詳細な説明】
【技術分野】
【０００１】
本発明は、外部接続された課金装置により課金を行って画像を形成する画像形成装置に関する。
【背景技術】
【０００２】
有料の複写サービスなどを提供する商用の画像形成装置では、サービス利用料金の課金に関する不具合が発生しないように対策が講じられている。たとえば、特許文献１には、複数枚の記録紙を同時並行に搬送して両面印刷を処理している最中に料金が不足した場合に、装置内に記録紙が残った状態で処理停止することを防止する技術が開示されている。また特許文献２には、片面多重コピーや両面コピーの印刷処理中に中間トレイから不正に抜き取られた印刷物に対して適正に課金できるようにした技術が開示されている。
【０００３】
一方、画像形成装置に外部接続した課金装置で課金を行う構成では、印刷処理中（給紙後から排紙直前の課金タイミングまでの間など）に課金装置からの信号が途切れるなどの通信異常（信号異常）が発生すると、その印刷処理中の記録紙は課金されずに正常な印刷が行われて出力される場合がある。このように、正常な印刷物が無課金で出力されてしまうと、課金サービスの提供者は不利益を被ることになる。そこで、課金装置との通信異常を検知した際には、印刷処理中の記録紙を画像形成装置内で強制的にジャムにしてしまい、出力しないようにすることで、正常な印刷物が無課金で出力されることを防止する技術などを取り入れている場合もある。
【０００４】
【特許文献１】特開２００３−１７３１１５号公報
【特許文献２】特開平９−１９０１２３号公報
【発明の開示】
【発明が解決しようとする課題】
【０００５】
しかしながら、上記のように画像形成装置内でジャムを発生させる技術では、ジャムになった記録紙を装置内から取り除かなければならなくなり、手間が生じる。ジャムになった記録紙を除去して装置を復旧させるまでの間は、装置を稼動できなくなる問題もある。また、特許文献１および２の技術では、このような課金装置との通信異常による課金の不具合を解消することはできない。
【０００６】
本発明は、上記の問題を解決しようとするものであり、課金装置との通信に異常が発生した場合に、ジャムを発生させずに正常な印刷物が無課金で出力されることを防止することができる画像形成装置を提供することを目的としている。
【課題を解決するための手段】
【０００７】
かかる目的を達成するための本発明の要旨とするところは、次の各項の発明に存する。
【０００８】
［１］原稿画像を読み取り画像データを取得する画像読取部と、
記録紙を給紙して搬送し前記画像読取部で取得された画像データに基づく画像を前記記録紙に形成して出力する画像形成出力処理を行う画像形成部と、
課金装置と通信する通信部と、
前記通信部による前記課金装置との通信が正常に行われている場合は、前記画像形成部に前記画像形成出力処理を正常に行わせ、かつその出力された記録紙に対する課金信号を前記通信部から前記課金装置へ送信し、前記画像形成部による前記給紙の開始後に前記通信部による前記課金装置との通信に異常が発生した場合は、その給紙された記録紙に対して前記画像形成部に非正常な前記画像形成出力処理を行わせて出力させる制御部と、
を備え、
前記画像形成部は、前記給紙された前記記録紙の位置を検出する検出部を備え、
前記制御部は、前記検出部で検出された前記記録紙の位置に応じて前記非正常な画像形成出力処理の内容を変更する
ことを特徴とする画像形成装置。
【０００９】
上記発明では、画像形成装置は画像を形成して出力した記録紙に対する課金信号を、外部接続された課金装置に送信することで、その画像の形成に対する課金が課金装置によって行われる。課金装置との通信が正常に行われている場合には、画像形成装置の画像形成部は、記録紙を給紙して搬送し、画像読取部による原稿画像の読み取りで取得された画像データに基づく画像を記録紙に形成して出力する画像形成出力処理を正常に行う。この処理により、正常な印刷物、すなわち、正常な画像が形成された正常な状態の印刷物が、利用者（課金サービスの享受者／顧客）が取り出すことのできる正常時の排出部に出力される。
【００１０】
画像形成部による給紙の開始後に課金装置との通信に異常が発生した場合には、画像形成部はその給紙された記録紙に対して非正常な画像形成出力処理を行い出力する。この処理により、非正常な印刷物が上記の排出部に出力される、もしくは、印刷物が利用者には取り出すことのできない非常時の排出部に出力されるなどする。
【００１１】
このように、課金装置との通信異常で印刷物が課金されずに出力されるような場合には、ジャムなどにならずに非正常な印刷物が出力されたり、利用者には印刷物を取り出すことができない非常時の排出部に出力されたりするようになるため、正常な印刷物が無課金で出力されることを防止できるようになる。
【００１３】
上記発明では、給紙された記録紙の位置に応じて非正常な画像形成出力処理の内容が変更され、画像形成部はその変更された内容の非正常な画像形成出力処理を行う。これにより、非正常な画像形成出力処理を、記録紙の位置に応じて実施可能な内容や適切な内容などに変更し、行えるようになる。
【００１４】
［２］前記制御部は、前記異常が発生した場合に前記画像データの内容を変更し、前記画像形成部に前記非正常な画像形成出力処理として、前記内容を変更した画像データに基づく画像を前記記録紙に形成する処理を行わせる
ことを特徴とする［１］に記載の画像形成装置。
【００１５】
上記発明では、画像形成部は非正常な画像形成出力処理として、内容が変更された画像データに基づく画像を記録紙に形成する処理を行う。この処理により、非正常な画像が形成された印刷物が出力されるようになる。
【００１６】
画像データの内容変更は、たとえば、正常な画像データ（画像読取部で取得された画像データ）を別の画像データに入れ替えたり、正常な画像データに別の画像データを合成したりするなどにより行うことができる。画像データの入れ替えや合成は、入れ替え用や合成用の画像データを画像形成装置内の記憶部に予め記憶しておくなどにより、その画像データを用いて行うことできる。この場合は、画像形成装置の製造メーカや課金サービスの提供者などが、利用者に見せたい画像などの画像データを予め作成して画像形成装置内に記憶しておくことにより、その画像データを使用して利用者に所望の画像を見せるようなことも可能になる。
【００１７】
［３］前記画像形成部は、
感光体と、
前記感光体を帯電する帯電部と、
前記帯電部により帯電された前記感光体に画像データに基づいて発光制御した光を照射して潜像を形成する潜像形成部と、
前記潜像形成部により前記感光体に形成された潜像を現像して現像像を形成する現像部と、
前記現像部により前記感光体に形成された現像像を前記記録紙に転写する転写部と、
を備え、
前記正常な画像形成出力処理は、
前記帯電部が所定の処理条件で前記帯電を行う帯電処理と、
前記潜像形成部が所定の処理条件で前記潜像を形成する潜像形成処理と、
前記現像部が所定の処理条件で前記現像像を形成する現像処理と、
前記転写部が所定の処理条件で前記転写を行う転写処理と、
を含み、
前記制御部は、前記異常が発生した場合に、前記帯電処理と、前記潜像形成処理と、前記現像処理と、前記転写処理とのうちの少なくとも１つの処理の前記所定の処理条件を変更し、前記画像形成部に前記非正常な画像形成出力処理として、前記所定の処理条件を変更した前記少なくとも１つの処理はその変更した処理条件で処理を行わせる
ことを特徴とする［１］または［２］に記載の画像形成装置。
【００１８】
上記発明では、画像形成部は正常な画像形成出力処理として、電子写真方式の画像形成プロセスにおける帯電処理と、潜像形成処理と、現像処理と、転写処理とを正常に行う。すなわち、帯電部が感光体を帯電する帯電処理と、潜像形成部が画像データに基づいて発光制御した光を帯電された感光体に照射して潜像を形成する潜像形成処理と、現像部が感光体に形成された潜像を現像して現像像を形成する現像処理と、転写部が感光体に形成された現像像を記録紙に転写する転写処理とを、全て所定の処理条件で正常に行う。これにより、電子写真方式の画像形成プロセスで正常な画像が形成された印刷物が出力される。
【００１９】
また非正常な画像形成出力処理として、上記の帯電処理、潜像形成処理、現像処理、転写処理のうちの少なくとも１つの処理の所定の処理条件を変更し、変更した処理については変更した処理条件で処理を行う。
【００２０】
帯電処理の処理条件を変更した場合には、感光体が正常に帯電されなくなり、感光体に潜像（静電潜像）を正常に形成できなくなる。たとえば、印加する帯電電圧などを変更すれば感光体の帯電電位が正常値ではなくなり、帯電電圧を印加停止すれば感光体は無帯電状態となる。
【００２１】
潜像形成処理の処理条件を変更した場合には、感光体に正常な潜像が形成されなくなる。たとえば、発光制御の条件、すなわち、感光体に照射する光の照射条件（強度）などを変更すれば、感光体に形成された潜像の電位は正常値ではなくなり、感光体への光照射を停止すれば潜像は形成されなくなる。
【００２２】
現像処理の処理条件を変更した場合には、感光体に形成された潜像が正常に現像されなくなり、正常な現像像（トナー像）が形成されなくなる。たとえば、印加する現像電圧などを変更すれば現像剤が適正に供給されずに正常な画像特性が得られなくなり、現像電圧を印加停止したり現像剤を供給停止したりすれば正常な現像像は形成されなくなる。
【００２３】
転写処理の処理条件を変更した場合には、現像像が記録紙に正常に転写されなくなる。たとえば、印加する転写電圧などを変更すれば現像剤が適正に転写されずに正常な画像特性が得られなくなり、転写電圧を印加停止しれば現像像は転写されなくなる。
【００２４】
これにより、非正常（異常）な画像が形成された印刷物が出力されるようになる。
【００２５】
［４］前記画像形成部は、
前記記録紙に圧接し回転してその記録紙を搬送しつつ画像を定着させるローラと、
前記ローラに前記記録紙を案内すると共にその案内位置を変更可能な案内部と、
を備え、
前記正常な画像形成出力処理は、前記案内部が前記ローラによる搬送でシワの発生しない位置に案内した記録紙に対して前記ローラが前記定着を行う定着処理を含み、
前記制御部は、前記異常が発生した場合に前記案内部による前記案内位置を変更し、前記画像形成部に前記非正常な画像形成出力処理として、前記案内部が前記ローラによる搬送でシワの発生する位置に案内した記録紙に対して前記ローラが前記定着を行う定着処理を行わせる
ことを特徴とする［１］乃至［３］のいずれか１つに記載の画像形成装置。
【００２６】
上記発明では、電子写真方式の画像形成プロセスにおける定着処理として、加熱・加圧ローラなどのローラ（定着ローラ）が記録紙に圧接し回転して、記録紙を搬送しつつ画像を定着させる。案内部は、このローラに記録紙を案内すると共に案内位置を変更する。たとえば、案内部は移動や傾動などの変位によって案内位置を変更することができる。記録紙は、案内部の変位によってローラに対する進入位置や進入角度（進入姿勢）などが変更される。
【００２７】
画像形成部は正常な画像形成出力処理として、案内部が記録紙をローラによる搬送でシワの発生しない位置に案内し、その記録紙に対してローラが上記の動作により画像を定着させる定着処理を行う。この処理により、シワの付いていない平面状の印刷物、すなわち、正常な状態の印刷物が出力されるようになる。また非正常な画像形成出力処理として、案内部が記録紙をローラによる搬送でシワの発生する位置に案内し、その記録紙に対してローラが上記の動作により画像を定着させる定着処理を行う。この処理により、シワの付いた非平面状の印刷物、すなわち、非正常（異常）な状態の印刷物が出力されるようになる。
【００２８】
［５］前記画像形成部は、
前記記録紙に対して異常な加工を加える加工処理と前記異常な加工を加えない非加工処理とを切り替えて行う加工部を備え、
前記正常な画像形成出力処理は、前記加工部が行う前記非加工処理を含み、
前記制御部は、前記異常が発生した場合に前記加工部が行う処理を前記加工処理に切り替え、前記画像形成部に前記非正常な画像形成出力処理として、前記加工処理を行わせる
ことを特徴とする［１］乃至［４］のいずれか１つに記載の画像形成装置。
【００２９】
上記発明では、画像形成部は加工部により、記録紙に対して異常な加工を加える加工処理と、異常な加工を加えない非加工処理とを切り替えて行う。加工部は、たとえば、搬送される記録紙に対して接離可能に設けられた切断部材や描画部材などを適用できる。切断部材はカッターなどの刃物が使用可能であり、描画部材はスタンプやマジックなどのインク塗布材（ペイント材）が使用可能である。切断部材の場合には、搬送される記録紙は切断部材に接触されて切断される。描画部材の場合には、搬送される記録紙は描画部材に接触されて、マーキングや落書きなどが描画される。
【００３０】
画像形成部は正常な画像形成出力処理として、加工部により記録紙に異常な加工を加えない非加工処理を行う。この処理により、異常な加工が施されていない正常な状態の印刷物が出力される。また、画像形成部は非正常な画像形成出力処理として、加工部により記録紙に異常な加工を加える加工処理を行う。この処理により、異常な加工が施された非正常（異常）な状態の印刷物が出力されるようになる。
【００３１】
［６］前記画像形成部は、
前記出力された記録紙が当該画像形成装置の利用者に取り出し可能な第１排出部と、
前記出力された記録紙が当該画像形成装置の利用者に取り出し不可能な第２排出部と、
前記記録紙の出力先を前記第１排出部または前記第２排出部に切り替え可能な切替部と、
を備え、
前記正常な画像形成出力処理は、前記画像形成部が前記切替部により前記記録紙を前記第１排出部に出力する処理を含み、
前記制御部は、前記異常が発生した場合に前記切替部による前記出力先を切り替え、前記画像形成部に前記非正常な画像形成出力処理として、前記切替部により前記記録紙を前記第１排出部に出力する処理を行わせる
ことを特徴とする［１］乃至［４］のいずれか１つに記載の画像形成装置。
【００３２】
上記発明では、画像形成部は切替部により、記録紙の出力先を利用者の取り出し可能な第１排出部または利用者の取り出し不可能な第２排出部に切り替える。切替部は、たとえば、移動や傾動などの変位によって記録紙を第１排出部や第１排出部へ通じる通路、または、第２排出部や第２排出部へ通じる通路へ振り分ける振分部材（誘導部材）などを適用できる。
【００３３】
画像形成部は正常な画像形成出力処理として、切替部により記録紙を第１排出部に出力する処理を行う。この処理により、利用者は第１排出部から正常な印刷物を取り出して取得できるようになる。また、画像形成部は非正常な画像形成出力処理として、切替部により記録紙を第２排出部に出力する処理を行う。この処理により、利用者は第２排出部から印刷物を取り出することができず、印刷物を取得できなくなる。
［７］原稿画像を読み取り画像データを取得する画像読取部と、
記録紙を給紙して搬送し前記画像読取部で取得された画像データに基づく画像を前記記録紙に形成して出力する画像形成出力処理を行う画像形成部と、
課金装置と通信する通信部と、
前記通信部による前記課金装置との通信が正常に行われている場合は、前記画像形成部に前記画像形成出力処理を正常に行わせ、かつその出力された記録紙に対する課金信号を前記通信部から前記課金装置へ送信し、前記画像形成部による前記給紙の開始後に前記通信部による前記課金装置との通信に異常が発生した場合は、その給紙された記録紙に対して前記画像形成部に非正常な前記画像形成出力処理を行わせて出力させる制御部と、
を備え、
前記画像形成部は、
前記記録紙に圧接し回転してその記録紙を搬送しつつ画像を定着させるローラと、
前記ローラに前記記録紙を案内すると共にその案内位置を変更可能な案内部と、
を備え、
前記正常な画像形成出力処理は、前記案内部が前記ローラによる搬送でシワの発生しない位置に案内した記録紙に対して前記ローラが前記定着を行う定着処理を含み、
前記制御部は、前記異常が発生した場合に前記案内部による前記案内位置を変更し、前記画像形成部に前記非正常な画像形成出力処理として、前記案内部が前記ローラによる搬送でシワの発生する位置に案内した記録紙に対して前記ローラが前記定着を行う定着処理を行わせる
ことを特徴とする画像形成装置。
［８］原稿画像を読み取り画像データを取得する画像読取部と、
記録紙を給紙して搬送し前記画像読取部で取得された画像データに基づく画像を前記記録紙に形成して出力する画像形成出力処理を行う画像形成部と、
課金装置と通信する通信部と、
前記通信部による前記課金装置との通信が正常に行われている場合は、前記画像形成部に前記画像形成出力処理を正常に行わせ、かつその出力された記録紙に対する課金信号を前記通信部から前記課金装置へ送信し、前記画像形成部による前記給紙の開始後に前記通信部による前記課金装置との通信に異常が発生した場合は、その給紙された記録紙に対して前記画像形成部に非正常な前記画像形成出力処理を行わせて出力させる制御部と、
を備え、
前記画像形成部は、
前記記録紙に対して異常な加工を加える加工処理と前記異常な加工を加えない非加工処理とを切り替えて行う加工部を備え、
前記正常な画像形成出力処理は、前記加工部が行う前記非加工処理を含み、
前記制御部は、前記異常が発生した場合に前記加工部が行う処理を前記加工処理に切り替え、前記画像形成部に前記非正常な画像形成出力処理として、前記加工処理を行わせる
ことを特徴とする画像形成装置。
［９］原稿画像を読み取り画像データを取得する画像読取部と、
記録紙を給紙して搬送し前記画像読取部で取得された画像データに基づく画像を前記記録紙に形成して出力する画像形成出力処理を行う画像形成部と、
課金装置と通信する通信部と、
前記通信部による前記課金装置との通信が正常に行われている場合は、前記画像形成部に前記画像形成出力処理を正常に行わせ、かつその出力された記録紙に対する課金信号を前記通信部から前記課金装置へ送信し、前記画像形成部による前記給紙の開始後に前記通信部による前記課金装置との通信に異常が発生した場合は、その給紙された記録紙に対して前記画像形成部に非正常な前記画像形成出力処理を行わせて出力させる制御部と、
を備え、
前記画像形成部は、
前記出力された記録紙が当該画像形成装置の利用者に取り出し可能な第１排出部と、
前記出力された記録紙が当該画像形成装置の利用者に取り出し不可能な第２排出部と、
前記記録紙の出力先を前記第１排出部または前記第２排出部に切り替え可能な切替部と、
を備え、
前記正常な画像形成出力処理は、前記画像形成部が前記切替部により前記記録紙を前記第１排出部に出力する処理を含み、
前記制御部は、前記異常が発生した場合に前記切替部による前記出力先を切り替え、前記画像形成部に前記非正常な画像形成出力処理として、前記切替部により前記記録紙を前記第２排出部に出力する処理を行わせる
ことを特徴とする画像形成装置。
【発明の効果】
【００３４】
本発明の画像形成装置によれば、課金装置との通信に異常が発生した場合に、ジャムを発生させずに正常な印刷物が無課金で出力されることを防止できるようになる。したがって、画像形成装置による課金サービスの提供者が不利益を被ることを回避できるようになる。また、ジャムになった記録紙の除去作業が不要となり装置の復旧を迅速に行えるようになる。
【発明を実施するための最良の形態】
【００３５】
以下、図面に基づき本発明の実施の形態を説明する。
【００３６】
図１は、本発明の実施の形態に係る複写課金システム５の構成例を示している。複写課金システム５は、有料で複写サービスを提供するシステムであり、複写機１０と課金装置１００とをケーブル７で通信可能に接続して構成される。
【００３７】
複写機１０は、原稿のカラーコピー機能やカラープリンタ機能などを備えたデジタルカラー複写機と呼ばれる装置（画像形成装置）であり、複写課金システム５においては、複写サービスの利用者による操作を受けて複写印刷を実行する機能を果す。課金装置１００は、硬貨などの投入を受け付けてサービスの利用に応じた料金を徴収するコインベンダなどの装置であり、複写課金システム５においては、複写機１０で利用された複写サービスに対する課金を行う機能を果す。
【００３８】
図２は、複写機１０の機構系の概略構成を示している。複写機１０は、自動原稿送り装置２０と、画像読取部としてのスキャナ部３０と、画像形成部としてのプリンタ部４０と、操作表示部１７とを備えている。複写機１０のベース部はプリンタ部４０によって構成され、プリンタ部４０の上にスキャナ部３０と自動原稿送り装置２０とが配設されている。
【００３９】
自動原稿送り装置２０は、下方のスキャナ部３０による読取位置Ｓに原稿Ｎを自動で送り込む機能を果たす。自動原稿送り装置２０は、原稿Ｎが積載される原稿トレイ２１と、原稿Ｎをスキャナ部３０の読取位置Ｓに送り込む図示しない原稿送り機構と、スキャナ部３０による読み取りの済んだ原稿Ｎが排出される排出トレイ２２とを備えている。
【００４０】
自動原稿送り装置２０は、原稿トレイ２１に積載された原稿Ｎを原稿送り機構により１枚ずつスキャナ部３０の読取位置Ｓに送り込み、読み取りが済んだ原稿Ｎを排出トレイ２２に排出する。両面原稿については、原稿トレイ２１から読取位置Ｓへ送り込んで表面が読み取られた後に、原稿送り機構が表裏を反転して再び読取位置Ｓへ送り込み、裏面の読み取りが済んでから排出トレイ２２に排出するようになっている。
【００４１】
スキャナ部３０は、原稿Ｎをカラーで読み取り画像データを取得する機能を備えている。詳細には、原稿Ｎの画像を光学的に読み取り、イエロー（Yellow；Ｙ）、マゼンタ（Magenta；Ｍ）、シアン（Cyan；Ｃ）、ブラック（blacK；Ｋ）の４つの基本色について色別の画像データを出力する機能を備えている。
【００４２】
スキャナ部３０は上面部に、原稿Ｎが載置されるプラテンガラス３１が設けられ、プラテンガラス３１の側方に位置する上述の読取位置Ｓにコンタクトガラス３２が設けられている。内部には、背面反射板を有する光源３３とその照明光による原稿Ｎからの反射光Ｌを反射するミラー３４とを備えた原稿照明部３５と、原稿照明部３５をプラテンガラス３１の下面に沿って複写機１０の幅方向（図の左右方向）に往復移動させる図示しない移動機構と、原稿Ｎからの反射光Ｌを受光しその光強度に応じた電気信号を色別に出力するカラータイプのラインイメージセンサ３６と、原稿照明部３５のミラー３４で反射された反射光Ｌをラインイメージセンサ３６へ導くための光路を形成する複数の反射ミラー３７と、反射ミラー３７によって導かれた反射光Ｌをラインイメージセンサ３６へ集光する集光レンズ３８とが設けられている。
【００４３】
スキャナ部３０は、プラテンガラス３１上に載置された原稿Ｎを読み取る場合には、原稿照明部３５が光源３３を点灯させプラテンガラス３１の下面に沿って移動しながら原稿Ｎを照明する。この移動する原稿照明部３５に走査照明された原稿Ｎの反射光Ｌを、ミラー３４、反射ミラー３７、および集光レンズ３８を介してラインイメージセンサ３６が受光し読み取るようになっている。自動原稿送り装置２０によって送り込まれた原稿Ｎを読み取る場合には、原稿照明部３５がコンタクトガラス３２の下方へ移動して停止し、光源３３を点灯させて読取位置Ｓ上を通過移動する原稿Ｎを照明する。この移動する原稿Ｎの反射光Ｌを同様に、ミラー３４、反射ミラー３７、および集光レンズ３８を介してラインイメージセンサ３６が受光し読み取るようになっている。
【００４４】
プリンタ部４０は、入力された画像データに対応する画像を電子写真方式の画像形成プロセスで記録紙上に形成するタンデム方式のカラーレーザープリンタであり、スキャナ部３０で読み取られた原稿Ｎの画像をカラーで複写印刷し出力する機能を備えている。
【００４５】
プリンタ部４０は、レーザーユニット（Laser Unit）４１と、Ｙ、Ｍ、Ｃ、Ｋの各色に対応する４つのイメージングユニット（Image Unit）５０（５０Ｙ、５０Ｍ、５０Ｃ、５０Ｋ）と、同じく４つのトナー補給装置４２（４２Ｙ、４２Ｍ、４２Ｃ、４２Ｋ）と、トナー回収部４３と、転写部としての転写分離装置６０と、定着部としての定着装置７０と、４つの給紙装置（１段給紙装置８０ａ、２段給紙装置８０ｂ、３段給紙装置８０ｃ、４段給紙装置８０ｄ）と、手差し給紙装置８０ｅと、搬送装置９０と、加工部としての加工装置４４と、第１排出部としての排紙トレイ４５と、第２排出部としての排紙ボックス４６とを備えている。また搬送装置９０は、反転部９０ａと、両面部９０ｂとを備えている。
【００４６】
レーザーユニット４１は、イメージングユニット５０に設けられた感光体ドラム５１（５１Ｙ、５１Ｍ、５１Ｃ、５１Ｋ）の表面をレーザビームで走査露光し、ドラム表面に静電潜像を形成する機能を果たす。
【００４７】
レーザーユニット４１は、Ｙ、Ｍ、Ｃ、Ｋの各色に対応する図示しない４つのレーザ光源（Laser Diode；ＬＤ）を備えている。各レーザ光源は、入力される画像データに応じて発光制御（オンオフ制御）されるレーザビームを射出するようになっている。詳細な図示は省略するが、レーザーユニット４１は更に、各レーザ光源から射出された４本のレーザビームＬＹ、ＬＭ、ＬＣ、ＬＫを反射して走査するポリゴンミラーと、ポリゴンミラーを回転駆動するモータと、ポリゴンミラーで走査された４本のレーザビームＬＹ、ＬＭ、ＬＣ、ＬＫを対応する感光体ドラム５１Ｙ、５１Ｍ、５１Ｃ、５１Ｋへ導く走査レンズや反射ミラーなどの光学部材を備えている。
【００４８】
レーザーユニット４１は、各レーザ光源が画像データに応じて発光制御されたレーザビームＬＹ、ＬＭ、ＬＣ、ＬＫをそれぞれ射出し、各レーザビームを回転するポリゴンミラーが反射・走査し、走査された各レーザビームを走査レンズや反射ミラーなどを介してイメージングユニット５０の対応する感光体ドラム５１Ｙ、５１Ｍ、５１Ｃ、５１Ｋに照射し、ドラム表面をレーザビームで走査露光するようになっている。
【００４９】
イメージングユニット５０は、記録紙に転写するトナー像を形成する機能を果たす。詳細には、イメージングユニット５０Ｙ、５０Ｍ、５０Ｃ、５０ＫがＹ色、Ｍ色、Ｃ色、Ｋ色のトナー像を形成し、転写分離装置６０に設けられた中間転写ベルト６１の回転移動に伴い各色のトナー像をベルト上に重ね合わせて転写する機能を果たす。またイメージングユニット５０Ｙ、５０Ｍ、５０Ｃ、５０Ｋは、複写機１０の幅方向に沿って回転移動する中間転写ベルト６１の回転移動方向に沿って上流側から下流側へ向けてその順番に配列されている。
【００５０】
イメージングユニット５０は、ユニット本体（ケーシング）に回転可能に支持された円筒状の感光体ドラム５１（５１Ｙ、５１Ｍ、５１Ｃ、５１Ｋ）を備えている。感光体ドラム５１は、ドラム表面を中間転写ベルト６１の表面に接触させて配置されている。
【００５１】
イメージングユニット５０は更に、帯電バイアスを印加して感光体ドラム５１の表面を帯電する帯電装置５２（５２Ｙ、５２Ｍ、５２Ｃ、５２Ｋ）と、帯電された感光体ドラム５１の表面にレーザビームが照射されて形成された静電潜像をトナーで現像してトナー像を形成する現像装置５３（５３Ｙ、５３Ｍ、５３Ｃ、５３Ｋ）と、感光体ドラム５１から中間転写ベルト６１へのトナー像の転写（１次転写）後にドラム表面を除電する除電装置５４（５４Ｙ、５４Ｍ、５４Ｃ、５４Ｋ）と、除電された感光体ドラム５１の表面をクリーニングするクリーニング装置５５（５５Ｙ、５５Ｍ、５５Ｃ、５５Ｋ）とを備えている。現像装置５３は、感光体ドラム５１と対向配置され現像ＡＣバイアスが印加される現像ローラと、現像ローラにトナーを供給するトナー供給ローラなどを備えている。クリーニング装置５５は、たとえば、感光体ドラム５１の表面に圧接してドラムの回転時に摺接するブレードや、感光体ドラム５１の表面に圧接してドラムの回転時に従動回転するブラシローラなどのクリーニング部材を備えている。
【００５２】
イメージングユニット５０は、回転する感光体ドラム５１の表面に帯電装置５２がトナーの帯電極性と同極性の帯電バイアスを印加してドラム表面を一様に帯電し（帯電処理）、帯電されたドラム表面にレーザーユニット４１によるレーザビームのオン・オフによる走査露光を受けて、レーザビームの照射部にトナーと逆極性または電位差の有る静電潜像が形成される（潜像形成処理）。現像装置５３は、トナー供給ローラが現像ローラにトナーを供給し、このトナーを現像ＡＣバイアスの印加された現像ローラが感光体ドラム５１の表面に供給する。現像ＡＣバイアスの印加で現像ローラから剥離しやすくなったトナーは感光体ドラム５１上の静電潜像に静電吸着し、静電潜像がトナーにより顕像化されドラム表面にトナー像が形成される（現像処理）。感光体ドラム５１は、回転しながら１次転写位置（ＴＹ、ＴＭ、ＴＣ、ＴＫ）でトナー像を中間転写ベルト６１に転写する。トナー像の転写後は、除電装置５４が感光体ドラム５１の表面に残留している電荷（表面電位）を除去し、さらにクリーニング装置５５がドラム表面に残留するトナー（転写残トナー）をブレードやブラシローラなどで掻き落としクリーニングするようになっている。
【００５３】
トナー補給装置４２は、イメージングユニット５０の現像装置５３にトナーを供給する機能を果たす。詳細には、トナー補給装置４２Ｙ、４２Ｍ、４２Ｃ、４２Ｋはプリンタ部４０に交換可能に装填されたＹ、Ｍ、Ｃ、Ｋの各色のトナーカートリッジを備えており、対応する現像装置５３Ｙ、５３Ｍ、５３Ｃ、５３Ｋで消費された分のトナーをトナーカートリッジから補給するようになっている。
【００５４】
トナー回収部４３は、イメージングユニット５０から廃トナーを回収する機能を果たす。詳細には、トナー回収部４３はプリンタ部４０の前扉内に交換可能に設けられた廃トナーボトルなどを備え、イメージングユニット５０Ｙ、５０Ｍ、５０Ｃ、５０Ｋのクリーニング装置５５Ｙ、５５Ｍ、５５Ｃ、５５Ｋにより集積された転写残トナーを廃トナーボトルに回収するようになっている。
【００５５】
転写分離装置６０は、イメージングユニット５０により形成されて転写（１次転写）されたトナー画像を記録紙に転写（２次転写）する機能を果たす。
【００５６】
転写分離装置６０は、無端状の中間転写ベルト６１と、中間転写ベルト６１を張架してベルト表面を感光体ドラム５１Ｙ、５１Ｍ、５１Ｃ、５１Ｋに接触させ回転移動可能に支持する駆動ローラ６２および複数の従動ローラ６３と、駆動ローラ６２を回転駆動させて中間転写ベルト６１を所定方向（図中の矢印Ａ方向）へ回転移動させる図示しないモータとを備えている。駆動ローラ６２は、感光体ドラム５１Ｋよりも中間転写ベルト６１の回転移動方向における下流側に配置されている。
【００５７】
転写分離装置６０は更に、中間転写ベルト６１を挟んで感光体ドラム５１Ｙ、５１Ｍ、５１Ｃ、５１Ｋと対向配置され、中間転写ベルト６１に従動回転しトナーの帯電極性とは逆極性の１次転写バイアスを印加する１次転写ローラ６４Ｙ、６４Ｍ、６４Ｃ、６４Ｋと、中間転写ベルト６１を挟んで駆動ローラ６２と対向配置され、中間転写ベルト６１に従動回転しトナーの帯電極性とは逆極性の２次転写バイアスを印加する２次転写ローラ６５とを備えている。
【００５８】
転写分離装置６０では、１次転写ローラ６４Ｙ、６４Ｍ、６４Ｃ、６４Ｋと感光体ドラム５１Ｙ、５１Ｍ、５１Ｃ、５１Ｋとの間が、詳細には、中間転写ベルト６１の表面と感光体ドラム５１Ｙ、５１Ｍ、５１Ｃ、５１Ｋとの接触部が、感光体ドラム５１Ｙ、５１Ｍ、５１Ｃ、５１Ｋから中間転写ベルト６１にトナー像が１次転写される１次転写位置ＴＹ、ＴＭ、ＴＣ、ＴＫとなっている。また、駆動ローラ６２と２次転写ローラ６５との間が、詳細には、中間転写ベルト６１の表面と２次転写ローラ６５との接触部が、中間転写ベルト６１から記録紙にトナー像が２次転写される２次転写位置Ｔ２となっている。
【００５９】
転写分離装置６０は更に、２次転写後の記録紙に分離バイアスを印加する図示しない分離帯電器と、２次転写後に中間転写ベルト６１を除電する図示しない除電装置と、除電された中間転写ベルト６１の表面をクリーニングするクリーニング装置６６とを備えている。クリーニング装置６６は、たとえば、中間転写ベルト６１の表面に圧接してベルトの回転移動時に摺接するブレードや、中間転写ベルト６１の表面に圧接してベルトの回転移動時に従動回転するブラシローラなどのクリーニング部材を備えている。
【００６０】
転写分離装置６０は、イメージングユニット５０Ｙにより形成されたＹ色のトナー画像と、イメージングユニット５０Ｍにより形成されたＭ色のトナー画像と、イメージングユニット５０Ｃにより形成されたＣ色のトナー画像と、イメージングユニット５０Ｋにより形成されたＫ色のトナー画像とがその順に中間転写ベルト６１に転写されて重ね合わせられ、各色のトナー画像の合成により形成されたカラーのトナー画像を中間転写ベルト６１から記録紙に一括転写するようになっている（転写処理）。
【００６１】
詳細には、駆動ローラ６２が回転駆動して中間転写ベルト６１を回転移動させ、イメージングユニット５０ＹがＹ色のトナー画像を形成している所定のタイミングで１次転写ローラ６４Ｙが転写バイアスを印加する。感光体ドラム５１Ｙ上に形成されたＹ色のトナー画像は、１次転写位置ＴＹに至ると逆極性のバイアスによる静電吸着力で中間転写ベルト６１上に１次転写される。同様に、イメージングユニット５０ＭがＭ色のトナー画像を形成している所定のタイミングで１次転写ローラ６４Ｍが転写バイアスを印加すると、感光体ドラム５１Ｍ上に形成されたＭ色のトナー画像は１次転写位置ＴＭで中間転写ベルト６１上に、Ｙ色のトナー画像に重ね合わせられて１次転写される。イメージングユニット５０Ｃで形成されたＣ色のトナー画像と、イメージングユニット５０Ｋで形成されたＫ色のトナー画像も同様に、１次転写位置ＴＣ、ＴＫで中間転写ベルト６１上に、既に転写されているトナー画像に順次重ね合わせられて１次転写される。これにより、中間転写ベルト６１上には、Ｙ、Ｍ、Ｃ、Ｋの各色のトナー画像の合成によるカラーのトナー画像が形成される。
【００６２】
さらに、１次転写が行われている所定のタイミングで２次転写ローラ６５が転写バイアスを印加する。中間転写ベルト６１上に形成されたカラーのトナー画像は、２次転写位置Ｔ２に至ると逆極性のバイアスによる静電吸着力で記録紙上に２次転写される。２次転写後は、分離帯電器が記録紙に分離バイアスを印加し、記録紙に発生した中間転写ベルト６１への静電吸着力を低下させて中間転写ベルト６１から記録紙を分離しやすくする。さらに、除電装置が中間転写ベルト６１に残留している電荷を除去し、クリーニング装置６６がベルト表面に残留するトナー（転写残トナー）をブレードやブラシローラなどで掻き落としクリーニングするようになっている。
【００６３】
定着装置７０は、トナー像が転写された記録紙を加熱および加圧してトナー像を記録紙に定着させる機能を果たす。
【００６４】
定着装置７０は、対向配置されて装置本体（ケーシング）に回転可能に支持された一対の定着ローラ７１ａ、７１ｂと、定着ローラ７１ａ、７１ｂの一方を回転駆動する図示しないモータと、定着ローラ７１ａ、７１ｂへの記録紙の案内位置を変更して記録紙のシワ発生を抑制するゲート７２とを備えている。定着ローラ７１ａ、７１ｂは、発熱する加熱ローラと、加熱ローラに圧接する加圧ローラとで構成され、モータにより一方が回転駆動されて他方が従動回転する。
【００６５】
定着装置７０は、トナー像が転写された記録紙をゲート７２が定着ローラ７１ａ、７１ｂに案内し、その記録紙を定着ローラ７１ａ、７１ｂが回転してニップ搬送しながら加熱および加圧することにより、トナー像を記録紙上に定着するようになっている（定着処理）。
【００６６】
１段給紙装置８０ａと、２段給紙装置８０ｂと、３段給紙装置８０ｃと、４段給紙装置８０ｄとは、記録紙を積載収容し、画像形成時に１枚ずつ搬送装置９０に送り出す機能を果たす。
【００６７】
各給紙装置８０ａ〜８０ｄは、記録紙Ｐが積載収容される給紙トレイ８１ａ、８１ｂ、８１ｃ、８１ｄと、積載収容された記録紙Ｐをピックアップするピックアップローラ（給紙ローラ）８２ａ、８２ｂ、８２ｃ、８２ｄと、ピックアップされた記録紙Ｐを１枚ずつ送り出す一対のフィードローラ８３ａ、８３ｂ、８３ｃ、８３ｄおよびリタードローラ８４ａ、８４ｂ、８４ｃ、８４ｄとを備えている。３段給紙装置８０ｃは更に、送り出された記録紙Ｐを搬送装置９０まで搬送する複数対の搬送ローラ８５も備えている。また図示は省略するが、各給紙装置８０ａ〜８０ｄは、各ローラを回転駆動するモータと、モータからピックアップローラ８２への回転の伝達および解除が切り替え可能な給紙クラッチ（電磁クラッチ）とを備えている。
【００６８】
各給紙装置８０ａ〜８０ｄは、ピックアップローラ８２ａ〜８２ｄがモータ（給紙モータ）の回転駆動および給紙クラッチのオン状態で所定方向へ回転され、給紙トレイ８１ａ〜８１ｄに積載収容された記録紙Ｐをピックアップしてフィードローラ８３ａ〜８３ｄとリタードローラ８４ａ〜８４ｄの間に送り込む。フィードローラ８３ａ〜８３ｄおよびリタードローラ８４ａ〜８４ｄは、重なり合って送り込まれた複数枚の記録紙Ｐに対し、リタードローラ８４ａ〜８４ｄがピックアップローラ８２ａ〜８２ｄと逆方向に回転して下側の記録紙Ｐの送り出しを抑えつつ、フィードローラ８３ａ〜８３ｄがピックアップローラ８２ａ〜８２ｄと同方向に回転して最上の１枚の記録紙Ｐのみを搬送装置９０に送り出すようになっている。また３段給紙装置８０ｃでは、フィードローラ８３ｃにより送り出された記録紙Ｐを複数対の搬送ローラ８５が挟持搬送して搬送装置９０に送り出すようになっている。
【００６９】
手差し給紙装置８０ｅは、手差しされた記録紙Ｐを画像形成時に１枚ずつ搬送装置９０に送り出す機能を果たす。
【００７０】
手差し給紙装置８０ｅは、手差しされる記録紙Ｐを積載可能な手差しトレイ８１ｅを備え、更に給紙装置８０と同様の機能を果すピックアップローラ（給紙ローラ）８２ｅと、フィードローラ８３ｅと、リタードローラ８４ｅと、図示しないモータと、図示しない給紙クラッチとを備えている。手差し給紙装置８０ｅは、上記の各部品が給紙装置８０と同様に動作して、手差しトレイ８１Ｅに手差しされた記録紙Ｐを１枚ずつ搬送装置９０に送り出すようになっている。
【００７１】
搬送装置９０は、各給紙装置８０ａ〜８０ｄや手差し給紙装置８０ｅから送り込まれた記録紙Ｐを搬送して転写分離装置６０の２次転写位置Ｔ２および定着装置７０を通過させる共に、定着装置７０から送り出された記録紙Ｐ（印刷物）を排紙トレイ４５または排紙ボックス４６に排出する機能を果たす。
【００７２】
搬送装置９０は、記録紙Ｐの通路（搬送路）を形成する図示しない通路部材と、各給紙装置８０ａ〜８０ｄおよび手差し給紙装置８０ｅから転写分離装置６０までの給紙側の通路（給紙通路）に沿って所定の間隔（最小サイズの記録紙の送り方向サイズよりも短い間隔）で配置されると共に各給紙装置８０ａ〜８０ｄに対応して設けられた複数対の搬送ローラ９１ａ〜９１ｄと、同通路における転写分離装置６０（２次転写位置Ｔ２）の手前に配置された一対のタイミングローラ９２と、定着装置７０以降の排紙側の通路（排紙通路）に配置された一対の搬送ローラ９１ｅと、同通路から記録紙Ｐを排紙トレイ４５に排出する一対の排出ローラ９３と、同通路から記録紙Ｐを排紙ボックス４６に排出する一対の排出ローラ９４と、各ローラを回転駆動する図示しないモータと、記録紙Ｐの排出先を排紙トレイ４５側または排紙ボックス４６側に切り替える切替部としての排出切替ガイド９５と、排出切替ガイド９５を変位（切替動作）させるソレノイドなどの図示しない駆動源とを備えている。上記の排紙通路は、途中から排紙トレイ４５に通じる通路（トレイ側排紙通路）と、排紙ボックス４６に通じる通路（ボックス側排紙通路）とに分岐しており、排出切替ガイド９５はこの排紙分岐部に配置されている。
【００７３】
搬送装置９０は、給紙通路側では、各給紙装置８０ａ〜８０ｄや手差し給紙装置８０ｅから送り込まれた記録紙Ｐを、搬送ローラ９１ａ〜９１ｄが給紙通路に沿ってタイミングローラ９２まで挟持搬送し、タイミングローラ９２が２次転写動作に同期した所定のタイミングで回転し転写分離装置６０の２次転写位置Ｔ２に送り出すようになっている。排紙通路側では、定着装置７０から送り出された記録紙Ｐを搬送ローラ９１ｅが挟持搬送して排紙通路に送り出し、記録紙Ｐを排紙トレイ４５に排出する場合は、排出切替ガイド９５が記録紙Ｐをトレイ側排紙通路に誘導して排出ローラ９３が回転・挟持し排紙トレイ４５に排出する。記録紙Ｐを排紙ボックス４６に排出する場合は、排出切替ガイド９５が記録紙Ｐをボックス側排紙通路に誘導して排出ローラ９４が回転・挟持し排紙ボックス４６に排出するようになっている。
【００７４】
反転部９０ａは、両面印刷が行われる際に、片面（表面）の印刷が済んだ記録紙Ｐを前後反転する機能を果たす。
【００７５】
反転部９０ａは、記録紙Ｐの前後を反転するための前後反転路を形成する通路部材９６と、記録紙Ｐの送り出し方向を排出側または前後反転路側に切り替える反転切替ガイド９７と、反転切替ガイド９７を変位（切替動作）させるソレノイドなどの図示しない駆動源と、前後反転路に配置された一対の反転ローラ９８と、反転ローラ９８を回転駆動する図示しないモータとを備えている。前後反転路は、排紙通路における上記の排紙分岐部（排出切替ガイド９５）の手前から分岐しており、反転切替ガイド９７はこの反転分岐部に配置されている。
【００７６】
反転部９０ａは、両面印刷時に表面の印刷が済んで定着装置７０から送り出された記録紙Ｐを反転切替ガイド９７で前後反転路に誘導し、反転ローラ９８が所定方向に回転して記録紙Ｐの後端が反転切替ガイド９７を通過するまで挟持搬送する。記録紙Ｐの後端が反転切替ガイド９７を通過すると、反転ローラ９８が逆回転して記録紙Ｐを逆方向に挟持搬送し、記録紙Ｐの前後を反転させて両面部８２に送り出すようになっている。
【００７７】
両面部９０ｂは、両面印刷が行われる際に、反転部９０ａから送り込まれた記録紙Ｐを表裏反転して、給紙通路におけるタイミングローラ９２の手前に戻す機能を果たす。
【００７８】
両面部９０ｂは、反転部９０ａの前後反転路と給紙通路との間に、記録紙Ｐの表裏を反転するための表裏反転路を形成する通路部材９９と、表裏反転路に沿って所定の間隔で配置された複数対の搬送ローラ９１ｆ〜９１ｉと、搬送ローラ９１ｆ〜９１ｉを回転駆動する図示しないモータとを備えている。表裏反転路は、前後反転路との接続側から給紙通路との接続側へ向けて半周するように延設されている。
【００７９】
両面部９０ｂは、反転部９０ａから前後反転されて送り込まれた記録紙Ｐを搬送ローラ９１ｆ〜９１ｉが表裏反転路に沿って挟持搬送しながら記録紙Ｐの表裏を反転させて給紙通路に送り出すようになっている。タイミングローラ９２は、両面印刷における裏面印刷時に、この両面部９０ｂから表裏反転されて送り込まれた表面印刷済みの記録紙Ｐを裏面の２次転写動作に同期した所定のタイミングで２次転写位置Ｔ２に送り出すようになっている。
【００８０】
また、搬送装置９０は、反転部９０ａおよび両面部９０ｂを含め、各通路の所定箇所に記録紙Ｐの位置を検出するための記録紙位置検出部４９（図３参照）を複数備えている。記録紙位置検出部４９は、たとえば、通路を移動する記録紙Ｐの先端に接触して変位し、記録紙Ｐの通過に伴う後端の離脱で逆変位する記録紙検出部材と、記録紙検出部材の機械的な変位を電気信号に変換して出力する変位検出センサなどで構成されている。変位検出センサは、記録紙検出部材の変位に応じてオフ／オン信号またはLow／High信号を出力するスイッチ型センサなどが使用可能である。
【００８１】
記録紙位置検出部４９は、記録紙検出部材が定常位置にあるときには、変位検出センサがオフ信号やLow信号を出力し、記録紙検出部材が記録紙Ｐに接触して変位しているときには、変位検出センサがオン信号やHigh信号を出力する。この電気信号の変化から記録紙Ｐの先端および後端が検出可能となり、記録紙Ｐの位置を検出できるようになっている。
【００８２】
記録紙位置検出部４９は、たとえば、搬送装置９０の給紙通路における各給紙装置８０ａ〜８０ｄや手差し給紙装置８０ｅの出口近傍（フィードローラ８３ａ〜８３ｄの後側）、通路途中、タイミングローラ９２の手前、排紙通路における定着装置７０の後側（反転切替ガイド９７の手前）、排出ローラ９３の手前、排出ローラ９４の手前、反転部９０ａの前後反転路における反転切替ガイド９７の後側、両面部９０ｂの表裏反転路における通路途中や出口近傍などに配置されている。
【００８３】
加工装置４４は、トレイ側排紙通路における排出ローラ９３の手前に配置されており、排紙トレイ４５に排出される記録紙Ｐに対して異常な加工を加える加工処理と異常な加工を加えない非加工処理とを切り替えて行う機能を果たす。
【００８４】
加工装置４４は、異常な加工を加える加工部材として、カッター、スタンプ、マジックのうちの１つ以上と、トレイ側排紙通路を通過する記録紙Ｐに対して加工部材を接触および離間させる接離機構と、接離機構の駆動源などを備えている。加工部材は、複数種類備えるようにしてもよく、同種類を複数備えるようにしてもよい。複数種類の加工部材を備える場合は、それらを記録紙Ｐに対して個別に接離させるようにしてもよい。加工部材の接触動作は、連続的に行うようにしてもよく、間欠的に行うようにしてもよい。たとえば、カッターやマジックの場合は記録紙Ｐに連続的に接触させ、スタンプの場合は記録紙Ｐに間欠的に接触させるなどしてもよい。
【００８５】
加工装置４４は、加工部材を離間方向へ変位させると記録紙Ｐに異常な加工を加えず（非加工処理）、加工部材を接触方向へ変位させると記録紙Ｐに異常な加工を加えるようになっている（加工処理）。異常な加工の詳細は、加工部材がカッターの場合には、搬送される記録紙Ｐにカッターが接触して記録紙Ｐを切断する切断加工である。加工部材がスタンプやマジックの場合には、搬送される記録紙Ｐにスタンプやマジックが接触してマーキングや落書きなどの異常な描画を行う描画加工である。
【００８６】
排紙トレイ４５は、プリンタ部４０から排出される記録紙Ｐを受け止める機能を果たす。
【００８７】
排紙トレイ４５は、プリンタ部４０の上部に設けられて周囲の一部（前側および左側）が開放されており、トレイ上から記録紙Ｐが取り出し自在となっている。この排紙トレイ４５は、排出された記録紙Ｐが複写機１０の利用者などに取り出し可能な排出部となっている。
【００８８】
排紙ボックス４６は、プリンタ部４０から排出される記録紙Ｐを収容して保管する機能を果たす。
【００８９】
排紙ボックス４６は、排紙トレイ４５の下側に配置され、内部に記録紙Ｐを収容可能な収容空間が設けられたボックス状に形成されている。排紙ボックス４６は、ボックスを開放および閉塞する開閉扉４７と、開閉扉４７を施錠および解錠する施錠装置４８とを備えており、施錠装置４８を解錠して開閉扉４７を開放することにより、ボックス内の記録紙Ｐが取り出し可能となっている。施錠装置４８の解錠は、施錠装置４８の鍵を保管しているサービス提供者や管理者（フィールドエンジニア）のみが行えるようになっており、複写機１０の利用者などには解錠不可能となっている。この排紙ボックス４６は、排出された記録紙Ｐが複写機１０の利用者などに取り出し不可能な排出部（収容部）となっている。
【００９０】
図３は、複写機１０における制御系の概略構成を示している。複写機１０は、制御部としてのＣＰＵ（Central Processing Unit）１１に、バス１２を介してＲＯＭ（Read Only Memory）１３と、ＲＡＭ（Random Access Memory）１４と、不揮発メモリ１５と、ハードディスク装置１６（図中では「ＨＤＤ」と表記）と、操作表示部１７と、通信部１８と、画像処理部１９と、自動原稿送り装置２０と、スキャナ部３０、プリンタ部４０とを接続して構成される。
【００９１】
ＣＰＵ１１は、ＲＯＭ１３に格納されているプログラムに基づいて複写機１０の動作を制御する。詳細には、上述した自動原稿送り装置２０が行う原稿の自動送り込み動作と、スキャナ部３０が行う原稿の読み取り動作と、プリンタ部４０が行う画像形成動作（原稿の複写印刷・出力動作）などを制御する。
【００９２】
ＲＡＭ１４はＣＰＵ１１がプログラムを実行する際に各種データを一時的に格納するワークメモリとして使用されるほか、画像データを一時的に保存するための画像メモリなどにも使用される。不揮発メモリ１５は、電源がオフされても記憶が保持されるメモリであり、装置固有の情報や各種の設定情報などが記憶される。
【００９３】
ハードディスク装置１６は、複写機１０を動作させるオペレーティングシステム（Operating System；ＯＳ）や複写機１０の各種機能を動作させるアプリケーションプログラム、画像形成における帯電、潜像形成、現像、転写・分離、除電、定着などの各プロセスの処理条件情報（図中では「プロセス情報」と表記）、各種の保存データなどを格納するほか、原稿の画像データや異常時に使用される後述の異常時用画像データなども保存する。画像形成プロセスの処理条件情報の詳細は、帯電印加電圧値を含む帯電制御の制御パラメータ、レーザビームの発光制御の制御パラメータ、現像印加電圧値を含む現像制御の制御パラメータ、転写印加電圧値を含む転写制御の制御パラメータ、分離制御の制御パラメータ、定着制御の制御パラメータなどである。
【００９４】
操作表示部１７は、複写機１０による複写サービスの利用者などに各種の操作画面や案内画面を表示する表示部としての機能と、利用者などが複写機１０に対して行う操作や入力を受け付ける操作部としての機能とを果たす。ここでは、操作表示部１７は液晶ディスプレイとその画面上に設けられたタッチパネルと、実行ボタン（スタートボタン）などの各種のスイッチ類とで構成される。
【００９５】
自動原稿送り装置２０、スキャナ部３０、プリンタ部４０の機能や構成は、前述した通りである。プリンタ部４０の記録紙位置検出部４９から出力される電気信号は、ＣＰＵ１１に入力される。ＣＰＵ１１はこの入力信号に基づいて、プリンタ部４０内を搬送される記録紙Ｐの位置を把握するようになっている。
【００９６】
画像処理部１９は、画像データに対して、画像補正、回転、拡大／縮小、圧縮／伸張など各種の画像処理を施す機能を果たす。通信部１８は、課金装置１００と接続されたケーブル７を通じて課金装置１００と通信する機能を果たす。
【００９７】
ＣＰＵ１１はプログラムを実行することで、通信部１８による課金装置１００との通信が正常に行われている場合は、プリンタ部４０に正常な画像形成出力処理（正常な複写印刷・出力処理）を行わせ、通信に異常が発生した場合は、プリンタ部４０に非正常な画像形成出力処理（非正常な複写印刷・出力処理）を行わせる機能を果たす。以下では、正常な画像形成出力処理を「正常処理」、非正常な画像形成出力処理を「非正常処理」と略称する場合がある。
【００９８】
正常処理の詳細は、原稿の複写印刷・出力時に、プリンタ部４０がスキャナ部３０の取得した画像データに基づいて記録紙に画像を形成し出力する処理と、予め設定されている所定の処理条件（制御パラメータ）で画像形成プロセスを行う処理と、定着装置７０のゲート７２が記録紙Ｐを所定の位置に案内し定着ローラ７１ａ、７１ｂによるニップ搬送で記録紙にシワを発生させない処理と、加工装置４４で記録紙に異常な加工を加えない処理と、記録紙を排紙トレイ４５に排出する処理などである。
【００９９】
非正常処理の詳細は、原稿の複写印刷・出力時に、プリンタ部４０がハードディスク装置１６に格納されている異常時用画像データに基づいて記録紙に異常時用画像を形成し出力する処理と、処理条件を変更して画像形成プロセスを行う処理と、定着ローラ７１ａ、７１ｂによるニップ搬送で記録紙にシワを発生させる処理と、加工装置４４で記録紙に異常な加工を加える処理と、記録紙を排紙ボックス４６に排出する処理などである。画像形成プロセスで変更する処理条件は、本実施の形態では転写バイアスとしている。
【０１００】
非正常処理として上記例の何れの処理を実行するかは、ＣＰＵ１１が記録紙位置検出部４９からの入力信号に基づいて把握した記録紙の位置と画像形成プロセスのタイミングとに基づいて、何れの処理が実行可能であるかを解析し、決定するようになっている。この非正常処理の解析、決定、実行は、ＣＰＵ１１が行うほかに、画像処理部１９が行う、もしくは画像処理部１９が一部を分担して行うようにしてもよい。
【０１０１】
またＣＰＵ１１は、複写印刷された記録紙Ｐ（印刷物）が排紙トレイ４５に排出される所定のタイミングに課金信号を課金装置１００に送信するようになっている。たとえば、排紙通路に配置された記録紙位置検出部４９による記録紙の検出をトリガとして課金信号を送信するようになっている。
【０１０２】
図４は、複写機１０と課金装置１００との間で行われる通信の手順を示している。
【０１０３】
複写機１０は、電源オンされ初期化が完了すると、課金装置１００に対して接続を確認するためのポーリングを実施する（Ｐ１；Polling）。課金装置１００は、同じく電源オンされ初期化が完了していれば、複写機１０からの接続確認のポーリングに応答する（Ｐ２；Polling Answer）。複写機１０は、課金装置１００からの応答を受信すると、課金装置１００との接続を確立し、複写サービスを実行できる状態となる。
【０１０４】
複写サービスの利用者などが複写機１０の操作表示部１７を通して、カラー／白黒、片面／両面、印刷サイズ、印刷部数などの複写モードを設定すると、複写機１０はその複写モードに対応する課金モードを課金装置１００に送信し、課金モードをセットする（Ｐ３；Mode Set）。また利用者などは、複写モードの設定操作の他に、自動原稿送り装置２０（図２参照）の原稿トレイ２１またはプラテンガラス３１への原稿のセットと課金装置１００へのサービス利用料金の投入も併せて行う。
【０１０５】
そして、操作表示部１７の実行ボタン（スタートボタン）が押下されると、複写機１０は複写印刷を実行し、印刷物を出力する所定のタイミングで課金信号を課金装置１００に送信する（Ｐ４；Sequence Command）。課金装置１００は、複写機１０から課金信号を受信すると、投入されている合計金額から課金モードに応じた１枚当たりの所定の複写料金を徴収して課金を行う。複数枚の複写印刷が連続的に行われる場合には、複写機１０は印刷物を１枚出力する毎に課金信号を１回送信する動作を、全枚数の複写印刷・出力が完了するまで繰り返し行う。課金装置１００は課金信号を受信する度に、投入金額から１枚当たりの複写料金を徴収する課金動作を繰り返し行う。
【０１０６】
また複写機１０は、課金装置１００に対する接続確認のポーリングを所定の時間間隔などで繰り返し実施する（Ｐ５；Polling）。課金装置１００は、複写機１０からポーリングを受信する度に応答し、必要に応じて課金モードの返信も行う（Ｐ６；Polling Answer ＋ Mode Answer）。
【０１０７】
課金装置１００からの応答を連続して所定回数受信できなかった場合には、複写機１０は課金装置１００との接続が途切れている、すなわち、課金装置１００との通信に異常が発生したと判断する。たとえば、接続確認のポーリングを１０msec毎に実施し、応答を３回連続して受信できなかった場合に、通信異常が発生したと判断する。
【０１０８】
通信異常が複写印刷の実行前（給紙開始前）に発生した場合には、複写機１０（ＣＰＵ１１）は複写印刷を実行せずに操作表示部１７にエラーメッセージなどを表示する。複写印刷の実行中（給紙された記録紙に対する複写印刷の処理中）、詳細には給紙の開始後から課金信号の送信前までの間に通信異常が発生した場合には、給紙された記録紙Ｐに正常な複写画像が印刷されつつ無課金で出力されるおそれがあるため、複写機１０は既に給紙された記録紙Ｐに対し上述した非正常処理を行う。また、複数枚の複写印刷を連続実行している最中に通信異常が発生した場合には、複写機１０は通信異常の発生後に新たな給紙を行わず、最後に給紙した記録紙Ｐに対する非正常処理を終えると複写印刷の動作を停止し、上記のエラーメッセージなどを表示する。このような通信異常は、たとえば、課金装置１００の故障や異常操作、電源プラグ抜けや通信接続用のケーブル７の外れなどにより発生する。
【０１０９】
次に、非正常処理の具体的な内容について説明する。
【０１１０】
図５は、原稿Ｎの画像が異常時用画像（Ｐａ、Ｐｂ、Ｐｃ）に入れ替えられて出力された記録紙Ｐ（印刷物）の一例を示している。
【０１１１】
異常時用画像は、異常を利用者などに伝えるための注意や警告の画像Ｐａ、複写機１０やその製造メーカ、提供サービスなどに関する広告や宣伝の画像Ｐｂ、製造メーカやブランドなどのロゴマークの画像Ｐｃなどである。製造メーカやサービスの提供者などは、これらの画像Ｐａ、Ｐｂ、Ｐｃのデータを予め作成し、前述したように異常時用画像データとして複写機１０のハードディスク装置１６に保存しておく。
【０１１２】
複写機１０は、複写印刷の実行中に課金装置１００との通信異常が発生し、画像形成プロセスにおける静電潜像の形成前（レーザビームの射出前）で、かつハードディスク装置１６から異常時用画像データを読み出して入れ替え可能なタイミングであれば、上記の異常時用画像を印刷した印刷物を出力することができる。この場合は、正常な画像（原稿Ｎの画像）を複写印刷した印刷物が無課金で出力されることを防止できると共に、製造メーカやサービスの提供者などが無課金で出力される印刷物を利用して、サービスの利用者などに対し警告や宣伝などを行えるようになる。
【０１１３】
図６は、定着装置７０が備える定着ローラ７１ａ、７１ｂとゲート７２の概略構成を示している。
【０１１４】
定着ローラ７１ａ、７１ｂによる記録紙のニップ搬送では、記録紙がローラに挟まれて高熱および高圧力を受けながら送り出されるため、特に薄い記録紙の場合にシワが発生しやすくなる。そこで、クラウン形状のローラを使用し、記録紙の案内位置を変更可能なゲート７２を設けることで、シワの発生を抑えるようにしている。
【０１１５】
本実施の形態では、一対の定着ローラ７１ａ、７１ｂは一方をクラウン状とし、他方をそれに対応する逆クラウン状としている。詳細には、図６（Ａ）に示すように、右側の定着ローラ７１ａが凸曲面のクラウン状で、左側の定着ローラ７１ｂが凹曲面の逆クラウン状であり、互いの軸心を平行にしてローラ表面を接触させると、接触部が密接して曲線状のニップ部を形成するようになっている。
【０１１６】
図６（Ｂ）、（Ｃ）に示すように、定着装置７０は、装置本体を構成するケーシング７０ａを備えている。ケーシング７０ａには、２次転写位置Ｔ２を通過した記録紙Ｐを定着装置７０内へ搬入するための搬入路７３が転写分離装置６０から連通形成されている。定着ローラ７１ａ、７１ｂは、左右に対向配置されニップ部が搬入路７３の下流側（図の上側）に位置してケーシング７０ａに支持されている。搬入路７３は、２次転写位置Ｔ２側から右斜め上方へ向けて延設されており、搬入路７３の延長線上には、クラウン状の定着ローラ７１ａの左下の周面部が位置している。
【０１１７】
ゲート７２は、傾動変位して記録紙Ｐの案内位置を変更する案内部としてのガイド板７４と、ガイド板７４を傾動可能に支持する支持軸７５と、ガイド板７４を傾動変位させる駆動源としてのソレノイド７６と、ソレノイド７６の駆動方向とは逆方向にガイド板７４を付勢する付勢部材としての圧縮コイルばね７７と、圧縮コイルばね７７に付勢されるガイド板７４の傾動位置を規制するストッパーピン７８とを備えている。
【０１１８】
支持軸７５は、ケーシング７０ａに形成された搬入路７３の右側に設けられている。ガイド板７４は、搬入路７３に対応すると共に記録紙Ｐを案内するガイド孔７４ａが内部に形成されており、支持軸７５に対応する支持孔７４ｂが基端部に形成されている。ガイド板７４は、先端部を定着ローラ７１ａ、７１ｂのニップ部側（図の上側）へ向けた姿勢で基端部の支持孔７４ｂが支持軸７５に挿入支持され、支持軸７５を中心に傾動可能とされている。ガイド板７４の基端部には、ストッパー部７４ｃが搬入路７３の反対側へ突設されている。ストッパーピン７８は、このストッパー部７４ｂに対応してケーシング７０ａに取り付けられている。
【０１１９】
ソレノイド７６は、円筒状のコイルを内蔵したソレノイド本体７６ａと、ソレノイド本体７６ａのコイルの軸心に沿って移動自在に内挿された可動鉄心７６ｂとで構成され、コイルへの通電により発生させた電磁力で可動鉄心７６ｂをソレノイド本体７６ａに吸引固定し、通電解除により可動鉄心７６ｂを固定解除するようになっている。ソレノイド７６は、ガイド板７４に対して搬入路７３の反対側（図の右側）に配置されると共に、可動鉄心７６ｂの移動方向が搬入路７３およびガイド板７４に対して略直交する向きにされてソレノイド本体７６ａがケーシング７０ａに取り付けられている。ソレノイド７６の可動鉄心７６ｂは、ソレノイド本体７６ａから突出された先端部がガイド板７４の中央部近傍に連結されている。圧縮コイルばね７７は、ソレノイド７６の上側に配置されると共に、一端（自由端）をガイド板７４の先端部に当接させて可動鉄心７６ｂと略平行な向きに取り付けられており、自身のばね力でガイド板７４を定着ローラ７１ｂ側へ付勢している。
【０１２０】
ガイド板７４は、圧縮コイルばね７７に付勢されて定着ローラ７１ｂ側へ傾動し、図６（Ｂ）に示すように、ストッパー部７４ｂがストッパーピン７８に当接して定着ローラ７１ｂ側への傾動位置が規制される。この状態では、ガイド板７４は略垂直姿勢となり、先端部を定着ローラ７１ａ、７１ｂのニップ部側へ向けた姿勢で固定される。
【０１２１】
ソレノイド７６が通電されて駆動すると、図６（Ｃ）に示すように、可動鉄心７６ｂは圧縮コイルばね７７のばね力（付勢力）に抗してソレノイド本体７６ａに吸引され、本体内の底部に挿入端部を当接させて固定される。これに伴い、ガイド板７４は可動鉄心７６ｂに引かれて定着ローラ７１ａ側へ傾動し固定される。この状態では、ガイド板７４は先端部を定着ローラ７１ａの左下の周面部側へ向けた傾いた姿勢となり、搬入路７３に沿った姿勢となる。ソレノイド７６の通電が解除されると、ガイド板７４は圧縮コイルばね７７に付勢されて元のニップ部側を向いた姿勢に戻る。
【０１２２】
このように、ゲート７２は搬入路７３から定着ローラ７１ａ、７１ｂへ送り込まれる記録紙Ｐのローラに対する案内位置を、ガイド板７４の傾動変位によって変更するようになっている。またＣＰＵ１１は、ソレノイド７６の通電制御を行うようになっている。
【０１２３】
図７は、上記の定着ローラ７１ａ、７１ｂによるニップ搬送で記録紙Ｐにシワが発生しない場合と発生する場合を比較して示している。
【０１２４】
図７（Ａ）に示すように、ガイド板７４が搬入路７３に沿って傾いている場合には、搬入路７３に沿って定着装置７０に搬入された記録紙Ｐは、進行方向を変えずにそのままガイド孔７４ａに沿って定着ローラ７１ａ側へ案内される。記録紙Ｐは、先端が定着ローラ７１ａに当接すると、定着ローラ７１ａの回転により定着ローラ７１ｂとのニップ部に引き込まれる。定着ローラ７１ａは凸曲面のクラウン状であるため、記録紙Ｐはローラの凸曲面に倣い中央部から両外側（ローラの両端部側）へ引き伸ばされ馴染ませられるようにしてニップ部に引き込まれる。これにより、記録紙Ｐはニップ部で加熱および加圧されながら搬送されても、図７（Ｂ）に示すように、シワの無い状態で搬送され送り出されるようになる。
【０１２５】
図７（Ｃ）に示すように、ガイド板７４が定着ローラ７１ａ、７１ｂのニップ部側を向いている場合には、搬入路７３から搬入された記録紙Ｐはガイド孔７４ａによってニップ部側へ案内される。記録紙Ｐは、ニップ部に直接進入すると上記のような引き伸ばしを受けずに引き込まれるため、ニップ部での加熱および加圧により、図７（Ｄ）に示すようにシワが発生して送り出されるようになる。このシワは、通常は紙面全体に周期性なくランダムに発生する。
【０１２６】
図８は、プリンタ部４０におけるカラー画像形成プロセスと給紙および排紙に係る主要部の動作タイミングを示している。本図では、２段給紙装置８０ｂからＡ４サイズの記録紙を横送りで給紙して搬送し排紙トレイ４５へ排出すると共に、送り方向となる紙幅方向の寸法２１０ｍｍを２４０ｍｍ／secの線速でプロセス処理する場合の動作タイミング例を示している。図中のタイミング基準は給紙開始タイミングであり、図中の目盛線は５００ｍsec間隔で記載している。また、本図に示した各部の動作制御はＣＰＵ１１が行っている。
【０１２７】
Ｙ、Ｍ、Ｃ、Ｋのトナー画像を形成するプロセスは、各色のトナー画像が中間転写ベルトへの各１次転写で位置が揃って重なり合うように、Ｙ、Ｍ、Ｃ、Ｋの順にタイミングがずれて行われる。タイミングのずれ量（遅延時間）は、Ｙ、Ｍ、Ｃ、Ｋの各感光体ドラムの円周長（直径）と回転速度（中間転写ベルトの回転移動速度）、１次転写位置の間隔によって理論値が求められ、誤差を考慮した設計値が予め決められている。
【０１２８】
２段給紙装置８０ｂからの給紙が開始されると、図２に示す搬送装置９０の給紙通路に設けられた搬送ローラ９１ａ、９１ｂの各モータが回転駆動され、搬送ローラ９１ａ、９１ｂが回転する。２段給紙装置８０ｂに対応して設けられた搬送ローラ９１ｂのモータは、図８では「２段縦搬送モータ」と表記している。搬送ローラ９１ｂの回転期間はこの２段縦搬送モータの回転駆動期間となる。１段給紙装置８０ａに対応して設けられた搬送ローラ９１ａのモータは、図８では「１段縦搬送モータ」と表記している。搬送ローラ９１ａの回転期間はこの１段縦搬送モータの回転駆動期間となる。
【０１２９】
２段給紙装置８０ｂから搬送装置９０の給紙通路に送り出された記録紙Ｐは、搬送ローラ９１ｂによって上方へ搬送され、更に搬送ローラ９１ａによって上方へ搬送されて、タイミングローラ９２まで搬送される。記録紙Ｐの先端がタイミングローラ９２に達すると、搬送ローラ９１ａ、９１ｂは一旦回転停止して記録紙Ｐを待機させる。
【０１３０】
この給紙・搬送に伴い、図８では記載を省略しているが、Ｙ、Ｍ、Ｃ、Ｋの順に所定タイミングずれて感光体ドラムの帯電とドラム上へのレーザビームの照射とが行われ、各ドラム上に静電潜像が順次形成される。
【０１３１】
さらに、図中の「現像ＡＣ Ｙ」、「現像ＡＣ Ｍ」、「現像ＡＣ Ｃ」、「現像ＡＣ Ｋ」で示すように、Ｙ、Ｍ、Ｃ、Ｋの順に所定タイミングずれて現像ＡＣバイアスが印加される。各ドラム上の静電潜像は順次現像され、各ドラム上に各色のトナー像が順次形成される。各色のトナー像は、各ドラムの回転に伴い所定タイミングずれて各１次転写位置まで搬送され、図中の「１次転写
Ｙ」、「１次転写 Ｍ」、「１次転写 Ｃ」、「１次転写 Ｋ」で示すように、中間転写ベルトにＹ、Ｍ、Ｃ、Ｋの順に順次１次転写される。この１次転写により、各色のトナー画像は中間転写ベルト上で位置が揃って重なり合い合成される。合成されてカラーとなったトナー画像は、中間転写ベルトの回転移動に伴い２次転写位置へ搬送される。
【０１３２】
画像形成プロセスの進行に伴い記録紙Ｐを２次転写位置Ｔ２に送り込むタイミング（図中の「２次転写」開始前の所定タイミング）が到来すると、タイミングローラ９２および搬送ローラ９１ａ、９１ｂの各モータが同期して回転駆動され、各ローラが回転する。タイミングローラ９２のモータは、図８では「タイミングモータ」と表記している。タイミングローラ９２の回転期間はこのタイミングモータの回転駆動期間となる。
【０１３３】
タイミングローラ９２および搬送ローラ９１ａ、９１ｂが回転すると、待機されていた記録紙Ｐは、中間転写ベルトによるカラー・トナー画像の２次転写位置Ｔ２への搬送タイミングに合わせて、２次転写位置Ｔ２に送り込まれる。そして２次転写位置Ｔ２を通過する際に、図中の「２次転写」で示すタイミングに中間転写ベルトからカラー・トナー画像が転写される。また、図中の「除電」で示す所定タイミングに分離バイアスの印加も行われる。上記の各ローラは、給紙通路の上流側から順に記録紙Ｐを送り込む役割を終え次第、順次回転停止する。
【０１３４】
記録紙Ｐが２次転写位置Ｔ２を通過しつつその先端が定着装置７０に搬入される前の所定タイミングが到来すると、ゲート７２のソレノイド７６が駆動され、ガイド板７４がクラウン状の定着ローラ７１ａ側へ切り替えられる（図６および図７参照）。ゲート７２のソレノイド７６は、図８では「ゲート切替ＳＬ」と表記している。ゲート７２（ガイド板７４）の切替期間はこのゲート切替ＳＬの駆動期間となる。
【０１３５】
定着装置７０に搬入された記録紙Ｐは、先端部がガイド板７４によってクラウン状の定着ローラ７１ａ側へ案内されつつニップ部に引き込まれる。定着ローラ７１ａ、７１ｂは、記録紙Ｐをニップ搬送しながら加熱および加圧してトナー画像を定着させ、記録紙Ｐをシワの無い状態で送り出す。ゲート７２（ガイド板７４）は、定着ローラ７１ａ、７１ｂへの記録紙Ｐの案内を終えた所定タイミングにソレノイド７６が駆動停止されて切替停止される。
【０１３６】
記録紙Ｐの先端が定着装置７０を通過して排出ローラ９３に到達する前の所定タイミングが到来すると、排出ローラ９３のモータが回転駆動され、排出ローラ９３が回転する。排出ローラ９３のモータは、図８では「排出モータ」と表記している。排出ローラ９３の回転期間はこの排出モータの回転駆動期間となる。定着装置７０を通過した記録紙Ｐは、排出ローラ９３によって排紙トレイ４５に排出される。また、この記録紙Ｐが排出通路の記録紙位置検出部４９で検出されると、複写機１０は課金装置１００に課金信号を送信する（課金タイミング）。そして排出ローラ９３は、記録紙Ｐの排出を終え次第、回転停止する。
【０１３７】
カラー画像形成プロセスと給紙および排紙に係る主要部の動作タイミングは、上記の通りである。この動作タイミングにおいて、図５で説明した異常時用画像をカラーで形成できるタイミングは、Ｙ色の現像が開始される８７５ｍsec前までであり、これは給紙開始から７００ｍsecまでとなる（図中のＲ１）。異常時用画像を白黒で形成できるタイミングは、Ｋ色の現像が開始される８７５ｍsec前までであり、これは給紙開始から１．６secまでとなる（図中のＲ２）。
【０１３８】
また、これらのタイミング以降に課金装置１００との通信異常が発生した場合には、２次転写が開始される８７５ｍsec前まで（給紙開始から約３．３secまで）であれば、２次転写バイアスをオフすることにより、２次転写が正常に行われていない、正常な画像が印刷されていない記録紙Ｐを出力することができる。すなわち、中間転写ベルト６１上のトナー画像が記録紙Ｐに正常に転写されないことにより、白紙、もしくは、一部白紙（白抜け）となった印刷物を出力することができる（図中のＲ３、Ｒ４、Ｒ５）。
【０１３９】
また、上記の２次転写前の８７５ｍsec以降に通信異常が発生した場合には、記録紙Ｐが定着装置７０に搬入される前までであれば、ゲート７２の切り替えを行わず、記録紙Ｐを定着ローラ７１ａ、７１ｂのニップ部に直接進入させることにより、定着時のニップ搬送で記録紙Ｐにシワを発生させ、異常な状態にして出力することができる（図中のＲ６）。
【０１４０】
また、記録紙Ｐが定着装置７０に搬入された後に通信異常が発生した場合には、前述したように、加工装置４４で記録紙Ｐに異常な加工を加えて出力する（図中のＲ７）、もしくは、記録紙Ｐを排紙トレイ４５に排出せずに排紙ボックス４６に出力して収容し保管する（図中のＲ８）、といった対応が可能である。
【０１４１】
次に、複写機１０の動作について説明する。
【０１４２】
図９は、複写機１０による複写印刷・出力時の課金処理と非正常処理の流れを示している。複写機１０が起動すると、ＣＰＵ１１は本処理を開始し（Ｓｔａｒｔ）、課金装置１００との接続確認（Polling）を行う（ステップＳ１０１）。
【０１４３】
正常に接続されていることを確認できた場合には（ステップＳ１０２；Ｎｏ）、ＣＰＵ１１は、課金タイミングであるか否か判断する（ステップＳ１０３）。課金タイミングでなければ（ステップＳ１０３；Ｎｏ）、ステップＳ１０１へ戻る。課金タイミングであれば（ステップＳ１０３；Ｙｅｓ）、通常の課金処理を行う（ステップＳ１０４）。詳細には、ＣＰＵ１１は、複写印刷済を終えた記録紙Ｐを出力する所定の課金タイミングで課金信号を課金装置１００に送信する。複数枚の複写印刷を連続的に行う場合には、ＣＰＵ１１は、複写印刷を終えた記録紙Ｐを１枚出力する毎に課金信号を課金装置１００に１回送信する動作を、全枚数の複写印刷・出力が完了するまで繰り返し行う。課金装置１００は課金信号を受信する度に、投入金額から１枚当たりの複写料金を徴収する課金動作を繰り返し行う。そしてＣＰＵ１１は、課金処理を終えると本処理を終了し（Ｅｎｄ）、複写機１０を待機状態にする。
【０１４４】
課金装置１００との接続に異常があることを確認した場合には（ステップＳ１０２；Ｙｅｓ）、ＣＰＵ１１は、異常判断処理を行い（ステップＳ１０５）、記録紙Ｐの位置を確認する（ステップＳ１０６）。
【０１４５】
記録紙Ｐの位置を確認した結果、異常時用画像への入れ替えが可能なタイミングであれば（ステップＳ１０７；Ｙｅｓ）、ＣＰＵ１１は異常時用画像形成処理を行い（ステップＳ１０８）、本処理を終了する（Ｅｎｄ）。この場合は、異常時用画像が印刷された印刷物、たとえば、前述した注意や警告、広告や宣伝などの画像が印刷された印刷物が排出される。
【０１４６】
異常時用画像への入れ替えが可能なタイミングではないが（ステップＳ１０７；Ｎｏ）、非正常な転写処理を行えるタイミングであれば（ステップＳ１０９；Ｙｅｓ）、ＣＰＵ１１は転写バイアスをオフにして転写処理を行い（ステップＳ１１０）、本処理を終了する（Ｅｎｄ）。この場合は、白紙の印刷物が出力される。
【０１４７】
非正常な転写処理を行えるタイミングではないが（ステップＳ１０９；Ｎｏ）、非正常な定着処理を行えるタイミングであれば（ステップＳ１１１；Ｙｅｓ）、ＣＰＵ１１はゲート７２を非正常な位置にして定着処理を行い（ステップＳ１１２）、本処理を終了する（Ｅｎｄ）。この場合は、シワの付いた印刷物が出力される。
【０１４８】
非正常な定着処理を行えるタイミングでなければ（ステップＳ１１１；Ｎｏ）、ＣＰＵ１１は加工装置４４で記録紙Ｐに異常な加工を加える加工処理を行う、もしくは、記録紙Ｐを排紙ボックス４６に出力して収容する収容処理を行い（ステップＳ１１３）、本処理を終了する（Ｅｎｄ）。この場合は、切断や描画などの異常な加工が施された印刷物が出力される、もしくは、出力された印刷物が排紙ボックス４６に収容・保管されて利用者は印刷物を取得できなくなる。
【０１４９】
図８に示した動作タイミングの場合には、上記のステップＳ１０６、Ｓ１０８、Ｓ１１０の各判断ステップとタイミングの関係は以下にようになる。
【０１５０】
カラーの複写印刷の場合は、
（１）異常時用画像への入れ替えが可能なタイミングは（ステップＳ１０６；Ｙｅｓ）、給紙開始から７００ｍsecまでである（Ｒ１）。
（２）異常時用画像への入れ替えが不可能で（ステップＳ１０６；Ｎｏ）、非正常な転写処理（白紙）が可能なタイミングは（ステップＳ１０８；Ｙｅｓ）、７００ｍsec〜２５００ｍsecである（Ｒ３）。
（３）非正常な転写処理（白紙）が不可能で（ステップＳ１０８；Ｎｏ）、非正常な定着処理が可能なタイミングは（ステップＳ１１１；Ｙｅｓ）、２５００ｍsec〜３８００ｍsecである（Ｒ６）。
（４）非正常な定着処理が不可能で（ステップＳ１１１；Ｎｏ）、異常な加工処理または収容処理が可能なタイミングは（ステップＳ１１１；Ｙｅｓ）、３８００ｍsec〜である（Ｒ７／Ｒ８）。
【０１５１】
ステップＳ１０９の「白紙」を「白紙または白抜け」とする場合は、上記の（２）は７００ｍsec〜３３００ｍsecとなり（Ｒ３＋Ｒ５）、そのうちの２５００ｍsec〜３３００ｍsecが「白抜け」となる（Ｒ５）。（３）は３３００ｍsec〜３８００ｍsecとなる。
【０１５２】
白黒の複写印刷の場合は、
（１）異常時用画像への入れ替えが可能なタイミングは（ステップＳ１０６；Ｙｅｓ）、給紙開始から１６００ｍsecまでである（Ｒ２）。
（２）異常時用画像への入れ替えが不可能で（ステップＳ１０６；Ｎｏ）、非正常な転写処理（白紙）が可能なタイミングは（ステップＳ１０８；Ｙｅｓ）、１６００ｍsec〜２５００ｍsecである（Ｒ４）。
（３）非正常な転写処理（白紙）が不可能で（ステップＳ１０８；Ｎｏ）、非正常な定着処理が可能なタイミング（ステップＳ１１１；Ｙｅｓ）、および、（４）非正常な定着処理が不可能で（ステップＳ１１１；Ｎｏ）、異常な加工処理または収容処理が可能なタイミング（ステップＳ１１１；Ｙｅｓ）は、カラーの場合と同じタイミングである。
【０１５３】
ステップＳ１０９の「白紙」を「白紙および白抜け」とする場合は、上記の（２）は１６００ｍsec〜３３００ｍsecとなり（Ｒ４＋Ｒ５）、カラーの場合と同様にそのうちの２５００ｍsec〜３３００ｍsecが「白抜け」となる（Ｒ５）。（３）は３３００ｍsec〜３８００ｍsecとなる。
【０１５４】
また、記録紙のコストなどを考慮し、異常用画像の印刷出力による紙利用を重視する場合は、（１）＞（２）＞（３）、（４）の優先順位で動作させることが望ましい。トナーのコストを考慮した場合は、（１）を省略し、（２）＞（３）、（４）の優先順位で動作させることが望ましい。この場合は更に、トナー画像を形成するタイミングに間に合えば正常なトナー画像を形成しないようにし（レーザビームの照射停止、帯電印加電圧停止、現像印加電圧停止など）、タイミングに間に合わず正常なトナー画像が形成されてしまったときに（２）以降の処理で対応するように動作させることがより望ましい。
【０１５５】
このように、本実施の形態に係る複写機１０では、課金装置１００との通信が正常に行われている場合には、正常な複写印刷・出力処理を行う。この正常処理により、正常な印刷物、すなわち、正常な複写印刷が行われた正常な状態の印刷物が、利用者などに取り出すことのできる正常時の排紙トレイ４５に出力される。給紙の開始後に課金装置１００との通信に異常が発生した場合には、その給紙された記録紙Ｐをジャムにすることなく、非正常な複写印刷・出力処理を行って出力する。この非正常処理により、非正常な印刷物が排紙トレイ４５に出力される、もしくは、印刷物が利用者には取り出すことのできない排紙ボックス４６に出力されるようになり、課金装置１００との通信異常で印刷物が課金されずに出力されるような場合に、正常な印刷物が無課金で出力されることを防止できるようになる。したがって、複写課金システム５による複写サービスの提供者が不利益を被ることを回避できるようになる。また、ジャムになった記録紙の除去作業が不要となり複写機１０の復旧を迅速に行えるようになる。
【０１５６】
また上記の非正常処理として、複写機１０の製造メーカやサービス提供者などが予め作成しておいた警告や宣伝などの異常用画像を印刷出力する処理を行った場合には、無課金で出力される印刷物を利用して利用者などに対し警告や宣伝などを行えるようになる。
【０１５７】
また上記の非正常処理として、画像形成プロセスの処理条件を変更してプロセス処理を行った場合には、異常な画像の印刷物が出力されるようになる。たとえば、上述しように２次転写時に転写バイアスをオフにすれば、白紙や白抜けの印刷物を出力できるようになる。
【０１５８】
また上記の非正常処理として、定着装置７０で記録紙Ｐにシワを発生させる定着処理を行った場合には、シワの付いた異常な状態の印刷物が出力されるようになる。
【０１５９】
また上記の非正常処理として、加工装置４４で記録紙Ｐに異常な加工処理を行った場合には、異常な状態の印刷物が出力されるようになる。たとえば、上述しように切断したり、マーキングや落書きなどを描画して異常な加工を施した印刷物を出力できるようになる。
【０１６０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１６１】
たとえば、実施の形態では、非正常処理における画像データの内容変更は、正常な画像データを異常時用画像データに入れ替える場合で説明したが、正常な画像データに異常時用画像データを合成したり、別の画像データを合成したりするなどして行うようにしてもよい。また、正常な画像データに対して画像処理部１９が非正常な画像処理を加えるなどして行うようにしてもよい。
【０１６２】
また、上記の入れ替えや合成に用いる異常時用画像データや別の画像データは、複写機１０の起動時にハードディスク装置１６から読み出して不揮発メモリ１５に記憶し、使用時に不揮発メモリ１５から読み出すようにしてもよい。また、予め不揮発メモリ１５に記憶しておいたものを使用するようにしてもよい。
【０１６３】
また、画像形成プロセスにおける非正常処理は、実施の形態で説明した２次転写バイアスをオフにする処理に限らない。画像形成プロセスにおける帯電、潜像形成、現像、転写の少なくとも１つの処理（プロセス）を、制御パラメータを変更して行うようにしてもよい。たとえば、帯電バイアスをオフにしたり、レーザビームの発光制御を停止したり、現像ＡＣバイアスをオフにしたり、１次転写バイアスをオフにしたりするなどしてもよい。
【０１６４】
また、定着装置７０のゲート７２についても、実施の形態で説明した構成に限らない。たとえば、トナー像の転写面を上に向けて記録紙Ｐを略水平方向に搬送し、上下に対向配置された一対の定着ローラに送り込んで定着処理を行うような構成であれば、上側をクラウン状で下側を逆クラウン状のローラにすると共に、記録紙Ｐの下面に接触して案内するガイド板を上下方向に変位（傾動）させて記録紙Ｐの案内位置を上下に変更するなどしてもよい。
【０１６５】
課金装置１００は、貨幣（硬貨）や紙幣を投入して課金を行うコインベンダのほかに、プリペイドカードを投入して課金を行うカードベンダ、もしくは、印刷枚数（片面／両面の印刷枚数やカラー／モノクロの印刷枚数など）をカウントする枚数カウンタや印刷料金をカウントする料金カウンタなどのカウンタ装置などとしてもよい。
【０１６６】
複写機１０におけるプリンタ部４０は、レーザ光に代えてＬＥＤ（Light Emitting Diode）で感光体ドラムを走査露光するＬＥＤプリンタなどの他の方式のプリンタとしてもよい。さらに、画像形成プロセスも電子写真方式に限らない。インクジェット方式、熱転写方式、レーザ露光熱現像転写方式などの方式のプロセスでもかまわない。
【０１６７】
また本発明は、実施の形態で説明したフルカラー対応の複写機に限らず、モノクロの複写機やフルカラー対応またはモノクロの複合機（ＭＦＰ；Multi Function Peripheral/Multi Function Printer）などの画像形成装置にも適用可能である。
【図面の簡単な説明】
【０１６８】
【図１】本発明の実施の形態に係る画像形成システムのシステム構成を示す図である。
【図２】本発明の実施の形態に係る画像形成装置としての複写機の機構系の概略構成を示すブロック図である。
【図３】本発明の実施の形態に係る画像形成装置としての複写機の制御系の概略構成を示すブロック図である。
【図４】本発明の実施の形態に係る複写機と課金装置との間で行われる通信の手順を示すシーケンス図である。
【図５】本発明の実施の形態に係る異常時用画像の一例を示す図である。
【図６】本発明の実施の形態に係る定着装置における定着ローラとゲートの概略構成を示す図である。
【図７】図６の定着装置による定着処理で記録紙にシワが発生しない場合と発生する場合を比較して示す説明図である。
【図８】本発明の実施の形態に係る画像形成プロセスと給紙および排紙に係る主要部の動作のタイミングを示す動作タイミング図である。
【図９】本発明の実施の形態に係る複写機による複写印刷・出力時の課金処理と非正常処理を示す流れ図である。
【符号の説明】
【０１６９】
５…複写課金システム
７…ケーブル
１０…複写機
１１…ＣＰＵ
１２…バス
１３…ＲＯＭ
１４…ＲＡＭ
１５…不揮発メモリ
１６…ハードディスク装置
１７…操作表示部
１８…通信部
１９…画像処理部
２０…自動原稿送り装置
２１…原稿トレイ
２２…排出トレイ
３０…スキャナ部
３１…コンタクトガラス
３２…プラテンガラス
３３…光源
３４…ミラー
３５…原稿照明部
３６…ラインイメージセンサ
３７…反射ミラー
３８…集光レンズ
４０…プリンタ部
４１…レーザーユニット
４２…トナー補給装置
４３…トナー回収部
４４…加工装置
４５…排紙トレイ
４６…排紙ボックス
４７…開閉扉
４８…施錠装置
４９…記録紙位置検出部
５０（５０Ｙ、５０Ｍ、５０Ｃ、５０Ｋ）…イメージングユニット
５１（５１Ｙ、５１Ｍ、５１Ｃ、５１Ｋ）…感光体ドラム
５２（５２Ｙ、５２Ｍ、５２Ｃ、５２Ｋ）…帯電装置
５３（５３Ｙ、５３Ｍ、５３Ｃ、５３Ｋ）…現像装置
５４（５４Ｙ、５４Ｍ、５４Ｃ、５４Ｋ）…除電装置
５５（５５Ｙ、５５Ｍ、５５Ｃ、５５Ｋ）…クリーニング装置
６０…転写分離装置
６１…中間転写ベルト
６２…駆動ローラ
６３…従動ローラ
６４（６４Ｙ、６４Ｍ、６４Ｃ、６４Ｋ）…１次転写ローラ
６５…２次転写ローラ
６６…クリーニング装置
７０…定着装置
７０ａ…ケーシング
７１ａ、７１ｂ…定着ローラ
７２…ゲート
７３…搬入路
７４…ガイド板
７４ａ…ガイド孔
７４ｂ…支持孔
７４ｃ…ストッパー部
７５…支持軸
７６…ソレノイド
７６ａ…ソレノイド本体
７６ｂ…可動鉄心
７７…圧縮コイルばね
７８…ストッパーピン
８０ａ…第１段給紙装置
８０ｂ…第２段給紙装置
８０ｃ…第３段給紙装置
８０ｄ…第４段給紙装置
８０ｅ…手差し給紙装置
８１（８１ａ〜８１ｄ）…給紙トレイ
８１ｅ…手差しトレイ
８２（８２ａ〜８２ｄ）…ピックアップローラ
８３（８３ａ〜８３ｄ）…フィードローラ
８４（８４ａ〜８４ｄ）…リタードローラ
８５…搬送ローラ
９０…搬送装置
９０ａ…反転部
９０ｂ…両面部
９１（９１ａ〜９１ｉ）…搬送ローラ
９２…タイミングローラ
９３…排出ローラ
９４…排出ローラ
９５…排出切替ガイド
９７…反転切替ガイド
９６…通路部材
９８…反転ローラ
９９…通路部材
１００…課金装置
Ｌ…反射光
Ｎ…原稿
Ｐ…記録紙
Ｓ…読取位置
ＴＹ、ＴＭ、ＴＣ、ＴＫ…１次転写位置
Ｔ２…２次転写位置
【図１】
0005245511.tif 000002
【図２】
0005245511.tif 000003
【図３】
0005245511.tif 000004
【図４】
0005245511.tif 000005
【図５】
0005245511.tif 000006
【図６】
0005245511.tif 000007
【図７】
0005245511.tif 000008
【図８】
0005245511.tif 000009
【図９】
0005245511.tif 000010